【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
自端末装置にインストールされている第１ゲームにおける第１操作に基づいて、一または複数のゲームを示す情報を表示部に表示させる第１表示制御部と、
前記第１表示制御部が表示させた前記一または複数のゲームを示す情報により示されるゲームのうちから第２操作に基づいて選択された第２ゲームを特定モードとして起動させる起動部と、
前記特定モードで動作中の前記第２ゲームにおいて、管理装置から前記第１ゲームへ招待される招待候補となるユーザを示す招待候補ユーザ情報を取得する招待候補ユーザ情報取得部と、
前記招待候補ユーザ情報取得部が取得した前記招待候補ユーザ情報のうち前記第１ゲームへ招待されるユーザに対応した第２ユーザ情報が関連付けられた招待申請情報を前記管理装置に対して送信する招待申請通知部と、
通常モードで動作中の前記第２ゲームにおいて、自ユーザに対応した情報が前記第２ユーザ情報となる前記招待申請情報が前記管理装置に有る場合に、前記招待申請情報に基づく招待通知情報を前記管理装置から取得する招待通知取得部と、
前記招待通知取得部が取得した前記招待通知情報に基づく招待情報を表示部に表示させる第２表示制御部と、
前記第２表示制御部が表示させた前記招待情報に対する第３操作に基づいて、当該招待情報が示す前記第１ゲームをインストール可能な画面に遷移させる画面遷移部と、
を備える端末装置。
【請求項２】
前記第２表示制御部が表示させた前記招待情報のうちの前記第３操作がされた前記招待情報に対応する前記招待通知情報に関連付けられた少なくとも一部の情報を自端末装置の記憶部に記憶させる招待情報管理部と、
前記第１ゲームにおいて所定の条件が充足された場合に、自端末装置の前記記憶部に、前記第１ゲームに対応した前記招待通知情報に関連付けられた少なくとも一部の情報が記憶されていることを条件として、前記招待通知情報に対応した招待成立情報を前記管理装置に対して送信する招待成立通知部と、
を備えることを特徴とする請求項１に記載の端末装置。
【請求項３】
前記通常モードで動作中の前記第２ゲームにおいて、自ユーザに対応した情報が前記第２ユーザ情報となる前記招待申請情報の有無を前記管理装置に対して照会する照会部、を備え、
前記招待通知取得部は、
前記照会部が紹介した結果、自ユーザに対応した情報が前記第２ユーザ情報となる前記招待申請情報が前記管理装置に有る場合に、前記招待申請情報に基づく招待通知情報を前記管理装置から取得する
ことを特徴とする請求項１または２に記載の端末装置。
【請求項４】
前記第１ゲームにおける前記第１操作に基づいて、前記一または複数のゲームを示す情報を前記管理装置から取得するアプリケーション情報取得部、
を備え、
前記第１表示制御部は、
前記アプリケーション情報取得部が取得した前記一または複数のゲームを示す情報により示されるゲームのうちの自端末装置にインストールされているゲームを示す情報を表示させる
ことを特徴とする請求項１から３の何れか一項に記載の端末装置。
【請求項５】
前記第１表示制御部は、
自端末装置が具備する機能を用いて、前記アプリケーション情報取得部が取得した前記一または複数のゲームを示す情報により示されるゲームのうちから自端末装置にインストールされているゲームを検出し、検出したゲームを示す情報を表示させる
ことを特徴とする請求項４に記載の端末装置。
【請求項６】
前記招待候補ユーザ情報取得部は、
前記特定モードで動作中の前記第２ゲームにおいて自ユーザと所定の関係にあるユーザを示す所定関係ユーザ情報を前記管理装置へ通知するとともに、通知した前記所定関係ユーザ情報から所定の抽出条件に基づいて抽出されたユーザを示す情報を前記管理装置から取得して前記招待候補ユーザ情報とする
ことを特徴とする請求項１から５のいずれか一項に記載の端末装置。
【請求項７】
記招待申請通知部は、
前記第１ゲームにおける自ユーザに対応した第１ユーザ情報、及び前記第２ユーザ情報が関連付けられた前記招待申請情報を前記管理装置に対して送信する
ことを特徴とする請求項１から６のいずれか一項に記載の端末装置。
【請求項８】
前記招待申請通知部は、
前記第１ゲームを示す情報がさらに関連付けられた前記招待申請情報を前記管理装置に対して送信する
ことを特徴とする請求項１から７のいずれか一項に記載の端末装置。
【請求項９】
前記招待申請通知部が前記招待申請情報を送信した後に、前記特定モードで起動された前記第２ゲームを終了させる特定モード終了部、
を備えることを特徴とする請求項１から８のいずれか一項に記載の端末装置。
【請求項１０】
前記招待候補ユーザ情報、前記招待申請情報、又は前記招待通知情報を、前記第１ゲームに対応するサーバ装置を介して前記管理装置と通信、若しくは直接的に前記管理装置と通信する送受信部、
を備えることを特徴とする請求項１から９の何れか一項に記載の端末装置。
【請求項１１】
前記送受信部は、前記第１ゲームに対応するサーバ装置を介して通信セッションを確立させた後で、直接的に前記管理装置と送受する
ことを特徴とする請求項１０に記載の端末装置。
【請求項１２】
前記第１表示制御部の機能と、前記起動部の機能と、前記招待候補ユーザ情報取得部の機能と、前記招待申請通知部の機能と、前記招待通知取得部の機能と、前記第２表示制御部の機能と、前記画面遷移部の機能とが、前記端末装置にインストールされるゲームのプログラムに組み込まれたプログラムに基づいて実行される
ことを特徴とする請求項１から１１の何れか一項に記載の端末装置。
【請求項１３】
前記端末装置にインストールされるゲームのプログラムに組み込まれたプログラムが実行されることにより、前記第１表示制御部の機能と、前記起動部の機能と、前記招待候補ユーザ情報取得部の機能と、前記招待申請通知部の機能と、前記招待通知取得部の機能と、前記第２表示制御部の機能と、前記画面遷移部の機能と、が実現される
ことを特徴とする請求項１から１１の何れか一項に記載の端末装置。
【請求項１４】
端末装置の制御方法であって、
端末装置にインストールされている第１ゲームにおける第１操作に基づいて、一または複数のゲームを示す情報を表示部に表示させるステップと、
前記表示させた前記一または複数のゲームを示す情報により示されるゲームのうちから第２操作に基づいて選択された第２ゲームを特定モードとして起動させるステップと、
前記特定モードで動作中の前記第２ゲームにおいて、管理装置から前記第１ゲームへ招待される招待候補となるユーザを示す招待候補ユーザ情報を取得するステップと、
前記取得した前記招待候補ユーザ情報のうち前記第１ゲームへ招待されるユーザに対応した第２ユーザ情報が関連付けられた招待申請情報を前記管理装置に対して送信するステップと、
通常モードで動作中の前記第２ゲームにおいて、自ユーザに対応した情報が前記第２ユーザ情報となる前記招待申請情報が前記管理装置に有る場合に、前記招待申請情報に基づく招待通知情報を前記管理装置から取得するステップと、
前記取得した前記招待通知情報に基づく招待情報を表示部に表示させるステップと、
前記表示させた前記招待情報に対する第３操作に基づいて、当該招待情報が示す前記第１ゲームをインストール可能な画面に遷移させるステップと、
を含むことを特徴とする制御方法。
【請求項１５】
コンピュータに、
端末装置にインストールされている第１ゲームにおける第１操作に基づいて、一または複数のゲームを示す情報を表示部に表示させるステップと、
前記表示させた前記一または複数のゲームを示す情報により示されるゲームのうちから第２操作に基づいて選択された第２ゲームを特定モードとして起動させるステップと、
前記特定モードで動作中の前記第２ゲームにおいて、管理装置から前記第１ゲームへ招待される招待候補となるユーザを示す招待候補ユーザ情報を取得するステップと、
前記取得した前記招待候補ユーザ情報のうち前記第１ゲームへ招待されるユーザに対応した第２ユーザ情報が関連付けられた招待申請情報を前記管理装置に対して送信するステップと、
通常モードで動作中の前記第２ゲームにおいて、自ユーザに対応した情報が前記第２ユーザ情報となる前記招待申請情報が前記管理装置に有る場合に、前記招待申請情報に基づく招待通知情報を前記管理装置から取得するステップと、
前記取得した前記招待通知情報に基づく招待情報を表示部に表示させるステップと、
前記表示させた前記招待情報に対する第３操作に基づいて、当該招待情報が示す前記第１ゲームをインストール可能な画面に遷移させるステップと、
を実行させるためのプログラム。
【請求項１６】
端末装置にインストールされるゲームのプログラムに組み込まれるプログラムであって、
コンピュータに、
端末装置にインストールされている第１ゲームにおける第１操作に基づいて、一または複数のゲームを示す情報を表示部に表示させるステップと、
前記表示させた前記一または複数のゲームを示す情報により示されるゲームのうちから第２操作に基づいて選択された第２ゲームを特定モードとして起動させるステップと、
前記特定モードで動作中の前記第２ゲームにおいて、管理装置から前記第１ゲームへ招待される招待候補となるユーザを示す招待候補ユーザ情報を取得するステップと、
前記取得した前記招待候補ユーザ情報のうち前記第１ゲームへ招待されるユーザに対応した第２ユーザ情報が関連付けられた招待申請情報を前記管理装置に対して送信するステップと、
通常モードで動作中の前記第２ゲームにおいて、自ユーザに対応した情報が前記第２ユーザ情報となる前記招待申請情報が前記管理装置に有る場合に、前記招待申請情報に基づく招待通知情報を前記管理装置から取得するステップと、
前記取得した前記招待通知情報に基づく招待情報を表示部に表示させるステップと、
前記表示させた前記招待情報に対する第３操作に基づいて、当該招待情報が示す前記第１ゲームをインストール可能な画面に遷移させるステップと、
を実行させるためのプログラム。
【手続補正２】
【補正対象書類名】明細書
【補正対象項目名】０００８
【補正方法】変更
【補正の内容】
【０００８】
上述した課題を解決するために、本発明の一態様は、自端末装置にインストールされている第１ゲームにおける第１操作に基づいて、一または複数のゲームを示す情報を表示部（１２０）に表示させる第１表示制御部（１６８）と、前記第１表示制御部が表示させた前記一または複数のゲームを示す情報により示されるゲームのうちから第２操作に基づいて選択された第２ゲームを特定モードとして起動させる起動部（１６２）と、前記特定モードで動作中の前記第２ゲームにおいて、管理装置（２００）から前記第１ゲームへ招待される招待候補となるユーザを示す招待候補ユーザ情報を取得する招待候補ユーザ情報取得部（１６３）と、前記招待候補ユーザ情報取得部が取得した前記招待候補ユーザ情報のうち前記第１ゲームへ招待されるユーザに対応した第２ユーザ情報が関連付けられた招待申請情報を前記管理装置に対して送信する招待申請通知部（１６４）と、通常モードで動作中の前記第２ゲームにおいて、自ユーザに対応した情報が前記第２ユーザ情報となる前記招待申請情報が前記管理装置に有る場合に、前記招待申請情報に基づく招待通知情報を前記管理装置から取得する招待通知取得部（１６７）と、前記招待通知取得部が取得した前記招待通知情報に基づく招待情報を表示部に表示させる第２表示制御部（１６８）と、前記第２表示制御部が表示させた前記招待情報に対する第３操作に基づいて、当該招待情報が示す前記第１ゲームをインストール可能な画面に遷移させる画面遷移部（１６９）と、を備える端末装置である。
【手続補正３】
【補正対象書類名】明細書
【補正対象項目名】０００９
【補正方法】変更
【補正の内容】
【０００９】
また、本発明の一態様は、上記端末装置が、前記第２表示制御部が表示させた前記招待情報のうちの前記第３操作がされた前記招待情報に対応する前記招待通知情報に関連付けられた少なくとも一部の情報を自端末装置の記憶部（１４０）に記憶させる招待情報管理部（１７０）と、前記第１ゲームにおいて所定の条件が充足された場合に、自端末装置の前記記憶部に、前記第１ゲームに対応した前記招待通知情報に関連付けられた少なくとも一部の情報が記憶されていることを条件として、前記招待通知情報に対応した招待成立情報を前記管理装置に対して送信する招待成立通知部（１７１）と、を備えることを特徴とする。
【手続補正４】
【補正対象書類名】明細書
【補正対象項目名】００１０
【補正方法】変更
【補正の内容】
【００１０】
また、本発明の一態様は、上記端末装置が、前記通常モードで動作中の前記第２ゲームにおいて、自ユーザに対応した情報が前記第２ユーザ情報となる前記招待申請情報の有無を前記管理装置に対して照会する照会部（１６６）、を備え、前記招待通知取得部が、前記照会部が紹介した結果、自ユーザに対応した情報が前記第２ユーザ情報となる前記招待申請情報が前記管理装置に有る場合に、前記招待申請情報に基づく招待通知情報を前記管理装置から取得することを特徴とする。
【手続補正５】
【補正対象書類名】明細書
【補正対象項目名】００１１
【補正方法】変更
【補正の内容】
【００１１】
また、本発明の一態様は、上記端末装置が、前記第１ゲームにおける前記第１操作に基づいて、前記一または複数のゲームを示す情報を前記管理装置から取得するアプリケーション情報取得部（１６１）、を備え、前記第１表示制御部が、前記アプリケーション情報取得部が取得した前記一または複数のゲームを示す情報により示されるゲームのうちの自端末装置にインストールされているゲームを示す情報を表示させることを特徴とする。
【手続補正６】
【補正対象書類名】明細書
【補正対象項目名】００１２
【補正方法】変更
【補正の内容】
【００１２】
また、本発明の一態様は、上記端末装置において、前記第１表示制御部が、自端末装置が具備する機能を用いて、前記アプリケーション情報取得部が取得した前記一または複数のゲームを示す情報により示されるゲームのうちから自端末装置にインストールされているゲームを検出し、検出したゲームを示す情報を表示させることを特徴とする。
【手続補正７】
【補正対象書類名】明細書
【補正対象項目名】００１３
【補正方法】変更
【補正の内容】
【００１３】
また、本発明の一態様は、上記端末装置において、前記招待候補ユーザ情報取得部が、前記特定モードで動作中の前記第２ゲームにおいて自ユーザと所定の関係にあるユーザを示す所定関係ユーザ情報を前記管理装置へ通知するとともに、通知した前記所定関係ユーザ情報から所定の抽出条件に基づいて抽出されたユーザを示す情報を前記管理装置から取得して前記招待候補ユーザ情報とすることを特徴とする。
【手続補正８】
【補正対象書類名】明細書
【補正対象項目名】００１４
【補正方法】変更
【補正の内容】
【００１４】
また、本発明の一態様は、上記端末装置において、記招待申請通知部が、前記第１ゲームにおける自ユーザに対応した第１ユーザ情報、及び前記第２ユーザ情報が関連付けられた前記招待申請情報を前記管理装置に対して送信することを特徴とする。
【手続補正９】
【補正対象書類名】明細書
【補正対象項目名】００１５
【補正方法】変更
【補正の内容】
【００１５】
また、本発明の一態様は、上記端末装置において、前記招待申請通知部が、前記第１ゲームを示す情報がさらに関連付けられた前記招待申請情報を前記管理装置に対して送信することを特徴とする。
【手続補正１０】
【補正対象書類名】明細書
【補正対象項目名】００１６
【補正方法】変更
【補正の内容】
【００１６】
また、本発明の一態様は、上記端末装置が、前記招待申請通知部が前記招待申請情報を送信した後に、前記特定モードで起動された前記第２ゲームを終了させる特定モード終了部（１６５）、を備えることを特徴とする。
【手続補正１１】
【補正対象書類名】明細書
【補正対象項目名】００１７
【補正方法】変更
【補正の内容】
【００１７】
また、本発明の一態様は、上記端末装置が、前記招待候補ユーザ情報、前記招待申請情報、又は前記招待通知情報を、前記第１ゲームに対応するサーバ装置を介して前記管理装置と通信、若しくは直接的に前記管理装置と通信する送受信部（１３０）、を備えることを特徴とする。
【手続補正１２】
【補正対象書類名】明細書
【補正対象項目名】００１８
【補正方法】変更
【補正の内容】
【００１８】
また、本発明の一態様は、上記端末装置において、前記送受信部が、前記第１ゲームに対応するサーバ装置を介して通信セッションを確立させた後で、直接的に前記管理装置と送受することを特徴とする。
【手続補正１３】
【補正対象書類名】明細書
【補正対象項目名】００１９
【補正方法】変更
【補正の内容】
【００１９】
また、本発明の一態様は、上記端末装置において、前記第１表示制御部の機能と、前記起動部の機能と、前記招待候補ユーザ情報取得部の機能と、前記招待申請通知部の機能と、前記招待通知取得部の機能と、前記第２表示制御部の機能と、前記画面遷移部の機能とが、前記端末装置にインストールされるゲームのプログラムに組み込まれたプログラムに基づいて実行されることを特徴とする。
【手続補正１４】
【補正対象書類名】明細書
【補正対象項目名】００２０
【補正方法】変更
【補正の内容】
【００２０】
また、本発明の一態様は、上記端末装置において、前記端末装置にインストールされるゲームのプログラムに組み込まれたプログラムが実行されることにより、前記第１表示制御部の機能と、前記起動部の機能と、前記招待候補ユーザ情報取得部の機能と、前記招待申請通知部の機能と、前記招待通知取得部の機能と、前記第２表示制御部の機能と、前記画面遷移部の機能と、が実現されることを特徴とする。
【手続補正１５】
【補正対象書類名】明細書
【補正対象項目名】００２１
【補正方法】変更
【補正の内容】
【００２１】
また、本発明の一態様は、端末装置の制御方法であって、端末装置にインストールされている第１ゲームにおける第１操作に基づいて、一または複数のゲームを示す情報を表示部に表示させるステップと、前記表示させた前記一または複数のゲームを示す情報により示されるゲームのうちから第２操作に基づいて選択された第２ゲームを特定モードとして起動させるステップと、前記特定モードで動作中の前記第２ゲームにおいて、管理装置から前記第１ゲームへ招待される招待候補となるユーザを示す招待候補ユーザ情報を取得するステップと、前記取得した前記招待候補ユーザ情報のうち前記第１ゲームへ招待されるユーザに対応した第２ユーザ情報が関連付けられた招待申請情報を前記管理装置に対して送信するステップと、通常モードで動作中の前記第２ゲームにおいて、自ユーザに対応した情報が前記第２ユーザ情報となる前記招待申請情報が前記管理装置に有る場合に、前記招待申請情報に基づく招待通知情報を前記管理装置から取得するステップと、前記取得した前記招待通知情報に基づく招待情報を表示部に表示させるステップと、前記表示させた前記招待情報に対する第３操作に基づいて、当該招待情報が示す前記第１ゲームをインストール可能な画面に遷移させるステップと、を含むことを特徴とする制御方法である。
【手続補正１６】
【補正対象書類名】明細書
【補正対象項目名】００２２
【補正方法】変更
【補正の内容】
【００２２】
また、本発明の一態様は、コンピュータに、端末装置にインストールされている第１ゲームにおける第１操作に基づいて、一または複数のゲームを示す情報を表示部に表示させるステップと、前記表示させた前記一または複数のゲームを示す情報により示されるゲームのうちから第２操作に基づいて選択された第２ゲームを特定モードとして起動させるステップと、前記特定モードで動作中の前記第２ゲームにおいて、管理装置から前記第１ゲームへ招待される招待候補となるユーザを示す招待候補ユーザ情報を取得するステップと、前記取得した前記招待候補ユーザ情報のうち前記第１ゲームへ招待されるユーザに対応した第２ユーザ情報が関連付けられた招待申請情報を前記管理装置に対して送信するステップと、通常モードで動作中の前記第２ゲームにおいて、自ユーザに対応した情報が前記第２ユーザ情報となる前記招待申請情報が前記管理装置に有る場合に、前記招待申請情報に基づく招待通知情報を前記管理装置から取得するステップと、前記取得した前記招待通知情報に基づく招待情報を表示部に表示させるステップと、前記表示させた前記招待情報に対する第３操作に基づいて、当該招待情報が示す前記第１ゲームをインストール可能な画面に遷移させるステップと、を実行させるためのプログラムである。
【手続補正１７】
【補正対象書類名】明細書
【補正対象項目名】００２３
【補正方法】変更
【補正の内容】
【００２３】
また、本発明の一態様は、端末装置にインストールされるゲームのプログラムに組み込まれるプログラムであって、コンピュータに、端末装置にインストールされている第１ゲームにおける第１操作に基づいて、一または複数のゲームを示す情報を表示部に表示させるステップと、前記表示させた前記一または複数のゲームを示す情報により示されるゲームのうちから第２操作に基づいて選択された第２ゲームを特定モードとして起動させるステップと、前記特定モードで動作中の前記第２ゲームにおいて、管理装置から前記第１ゲームへ招待される招待候補となるユーザを示す招待候補ユーザ情報を取得するステップと、前記取得した前記招待候補ユーザ情報のうち前記第１ゲームへ招待されるユーザに対応した第２ユーザ情報が関連付けられた招待申請情報を前記管理装置に対して送信するステップと、通常モードで動作中の前記第２ゲームにおいて、自ユーザに対応した情報が前記第２ユーザ情報となる前記招待申請情報が前記管理装置に有る場合に、前記招待申請情報に基づく招待通知情報を前記管理装置から取得するステップと、前記取得した前記招待通知情報に基づく招待情報を表示部に表示させるステップと、前記表示させた前記招待情報に対する第３操作に基づいて、当該招待情報が示す前記第１ゲームをインストール可能な画面に遷移させるステップと、を実行させるためのプログラムである。